Podtech/llm-jp-corpus-v4-ja_patent huggingface dataset:
【手続補正書】
【提出日】平成19年5月22日(2007.5.22)
【手続補正１】
【補正対象書類名】特許請求の範囲
【補正対象項目名】請求項１
【補正方法】変更
【補正の内容】
【請求項１】
１以上の外線および複数の内線を収容する構内電話装置と、前記内線に接続される電話端末とからなる構内電話設備における特定相手発信通知方法であって、
予め登録された特定電話番号を特定番号登録情報として記憶する処理と、第１の電話端末が前記外線または内線で発信したとき発信先が前記特定番号登録情報に記憶されている特定電話番号と一致するか否かを判定する特定番号判定処理と、前記発信先と特定電話番号が一致したときに第２の電話端末に前記第１の電話端末が前記外線または内線で特定電話番号に発信したことを通知する特定番号発信通知処理とを行うことを特徴とする特定相手発信通知方法。
【手続補正２】
【補正対象書類名】特許請求の範囲
【補正対象項目名】請求項２
【補正方法】変更
【補正の内容】
【請求項２】
請求項１記載の特定相手発信通知方法であって、前記発信先と特定電話番号が一致したときに、予め設定されているＡ：可聴音による通知、Ｂ：通話内容の聴取による通知、Ｃ：通話内容を録音し可聴音で通知のいずれかの第２の電話端末に対する通知方法を選択する処理を行うことを特徴とする特定相手発信通知方法。
【手続補正３】
【補正対象書類名】特許請求の範囲
【補正対象項目名】請求項５
【補正方法】変更
【補正の内容】
【請求項５】
請求項１記載の特定相手発信通知方法であって、前記発信先と特定電話番号が一致したときに前記第１の電話端末と前記外線または内線との通話を前記第２の電話端末で聴取できるように制御する聴取制御処理を行うことを特徴とする特定相手発信通知方法。
【手続補正４】
【補正対象書類名】特許請求の範囲
【補正対象項目名】請求項６
【補正方法】変更
【補正の内容】
【請求項６】
請求項１記載の特定相手発信通知方法であって、前記発信先と特定電話番号が一致したときに前記第１の電話端末と前記外線または内線との通話を録音する通話録音制処理を行うことを特徴とする特定相手発信通知方法。
【手続補正５】
【補正対象書類名】特許請求の範囲
【補正対象項目名】請求項７
【補正方法】変更
【補正の内容】
【請求項７】
１以上の外線および複数の内線を収容するボタン電話主装置と、前記内線に接続される電話端末とからなるボタン電話装置において、
予め登録された特定電話番号を記憶しておく記憶部と、第１の電話端末が前記外線または内線で発信したとき発信先が前記記憶部に特定番号登録情報として記憶されている特定電話番号と一致するか否かを判定する特定番号判定手段と、前記特定番号判定手段が一致したと判定すると第２の電話端末に前記第１の電話端末が前記外線または内線で特定電話番号に発信したことを通知する特定番号発信通知手段を備えたことを特徴とするボタン電話装置。
【手続補正６】
【補正対象書類名】特許請求の範囲
【補正対象項目名】請求項８
【補正方法】変更
【補正の内容】
【請求項８】
請求項７記載のボタン電話装置において、前記特定番号判定手段が一致したと判定すると前記第１の電話端末と前記外線または内線との通話を前記第２の電話端末で聴取できるように制御する聴取制御手段を備えたことを特徴とするボタン電話装置。
【手続補正７】
【補正対象書類名】特許請求の範囲
【補正対象項目名】請求項９
【補正方法】変更
【補正の内容】
【請求項９】
請求項７記載のボタン電話装置において、前記特定番号判定手段が一致したと判定すると前記第１の電話端末と前記外線または内線との通話を録音する通話録音制御手段を備えたことを特徴とするボタン電話装置。
【手続補正８】
【補正対象書類名】明細書
【補正対象項目名】０００８
【補正方法】変更
【補正の内容】
【０００８】
上記課題を解決するために、本発明は、１以上の外線および複数の内線を収容する構内電話装置と、前記内線に接続される電話端末とからなる構内電話設備における特定相手発信通知方法、またはボタン電話装置であって、予め登録された特定電話番号を特定番号登録情報として記憶する処理と、第１の電話端末が前記外線または内線で発信したとき発信先が前記特定番号登録情報に記憶されている特定電話番号と一致するか否かを判定する特定番号判定処理と、前記特定番号判定手段が一致したと判定すると第２の電話端末に前記第１の電話端末が前記外線または内線で特定電話番号に発信したことを通知する特定番号発信通知処理とを行う、または処理手段を備えた。
【手続補正９】
【補正対象書類名】明細書
【補正対象項目名】０００９
【補正方法】変更
【補正の内容】
【０００９】
また、本発明は、前記特定番号判定処理または手段が一致したと判定すると前記第１の電話端末と前記外線または内線との通話を前記第２の電話端末で聴取できるように制御する聴取制御処理を行う、または処理手段を備えた。
【手続補正１０】
【補正対象書類名】明細書
【補正対象項目名】００１０
【補正方法】変更
【補正の内容】
【００１０】
さらに、本発明は、前記特定番号判定処理または手段が一致したと判定すると前記第１の電話端末と前記外線または内線との通話を録音する通話録音制御処理を行う、または処理手段を備えた。
【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
二次元に配された画素と、
第１の画素列に配された画素のうち第１の行に配された複数の画素からの信号が読み出される第１の信号出力線と、
前記第１の画素列に配された画素のうち第２の行に配された複数の画素からの信号が読み出される第２の信号出力線と、
前記第１の信号出力線からの信号を保持する第１の容量素子と、
前記第２の信号出力線からの信号を保持する第２の容量素子と、
前記第１及び第２の信号出力線側の、前記第１の容量素子の一端と前記第２の容量素子の一端とを、電気的に接続する第１のスイッチ手段と、を有し、
前記第１の容量素子の他端と前記第２の容量素子の他端どうしが電気的に接続されていることを特徴とする固体撮像装置。
【請求項２】
前記第１の行は偶数行であり、前記第２の行は奇数行であることを特徴とする請求項１に記載の固体撮像装置。
【請求項３】
前記第１の信号出力線は第２のスイッチ手段を介して前記第１の容量素子の一端と接続され、前記第２の信号出力線は第３のスイッチ手段を介して前記第２の容量素子の一端と接続されることを特徴とする請求項１または２に記載の固体撮像装置。
【請求項４】
前記第１、第２及び第３のスイッチ手段を走査する走査手段を有し、
該走査手段は、
全行読み出し動作時には、前記第１のスイッチ手段がオンしている期間中に、前記第２のスイッチ手段及び前記第３のスイッチ手段が順次オンするように走査し、画素平均読み出し動作時には、前記第１のスイッチ手段がオフしている期間中に、前記第２のスイッチ手段および前記第３のスイッチ手段が同時にオンしている期間を有するように走査することを特徴とする請求項３に記載の固体撮像装置。  
【請求項５】
前記第１及び第２の容量素子で保持された信号を増幅する増幅回路を有し、
前記増幅回路は、出力端子と入力端子とを容量結合する容量を備えた増幅器を含んでおり、前記第１及び第２の容量素子と前記容量との容量比によりゲインを決めることを特徴とする請求項１〜４のいずれか１項に記載の固体撮像装置。
【請求項６】
前記増幅器の出力信号を保持し、前記複数の画素の少なくとも一部の画素に対応したメモリセルを配列してなるメモリ部を有することを特徴とする請求項５に記載の固体撮像装置。
【請求項７】
前記メモリセルは、少なくとも信号が書き込まれる容量、該信号を書き込むためのトランジスタ、及び該信号を増幅するためのトランジスタを備えた増幅型メモリセルであることを特徴とする請求項６に記載の固体撮像装置。
【請求項８】
前記メモリ部の増幅型メモリセルの各列ごとに配列され、前記増幅器と前記増幅型メモリセルとの出力オフセット及び前記増幅型メモリセルからの信号を出力するための回路手段を有することを特徴とする請求項７に記載の固体撮像装置。
【請求項９】
前記回路手段は、前記出力オフセットを蓄積する第１の蓄積容量と、前記出力オフセットを前記第１の蓄積容量に転送する第１の転送トランジスタと、前記増幅型メモリセルからの信号を蓄積する第２の蓄積容量と、前記増幅型メモリセルからの信号を前記第２の蓄積容量に転送する第２の転送トランジスタと、を有する請求項８に記載の固体撮像装置。
【請求項１０】
前記回路手段から出力される、前記出力オフセットと前記信号との差分を求める手段を有する請求項９に記載の固体撮像装置。
【請求項１１】
請求項１〜１０のいずれか１項に記載の固体撮像装置と、前記固体撮像装置へ光を結像するレンズ系と、前記固体撮像装置からの出力信号を処理する信号処理回路とを有することを特徴とする撮像システム。
【手続補正２】
【補正対象書類名】明細書
【補正対象項目名】００１２
【補正方法】変更
【補正の内容】
【００１２】
本発明は上記の課題を解決するためになされたものであり、本発明の固体撮像装置は、二次元に配された画素と、
第１の画素列に配された画素のうち第１の行に配された複数の画素からの信号が読み出される第１の信号出力線と、
前記第１の画素列に配された画素のうち第２の行に配された複数の画素からの信号が読み出される第２の信号出力線と、
前記第１の信号出力線からの信号を保持する第１の容量素子と、
前記第２の信号出力線からの信号を保持する第２の容量素子と、
前記第１及び第２の信号出力線側の、前記第１の容量素子の一端と前記第２の容量素子の一端とを、電気的に接続する第１のスイッチ手段と、を有し、
前記第１の容量素子の他端と前記第２の容量素子の他端どうしが電気的に接続されていることを特徴とする。
【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
遊技者による操作の結果に基づいて、単位遊技の開始を指令する遊技開始指令手段と、
前記遊技開始指令手段からの遊技開始指令信号に基づいて、当選役を決定する当選役決定手段と、
入賞態様を入賞表示手段に停止表示させる入賞表示制御手段と、
前記当選役が特定の役であることに基づいて、前記入賞表示制御手段により前記入賞表示手段に特定の入賞態様が停止表示された場合に、第１遊技状態及び第２遊技状態により構成される遊技者に有利な有利状態を発生させる有利状態発生手段と、
遊技に関する情報の報知を開始する時機を、前記有利状態中の時機のうちから決定する報知開始時機決定手段と、
前記報知開始時機決定手段の決定結果を、前記第１遊技状態において報知する第１報知手段と、
前記報知開始時機決定手段により決定された時機以降、前記第２遊技状態において前記情報を報知する第２報知手段と、
を備えたことを特徴とする遊技機。
【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
遊技者による操作の結果に基づいて、単位遊技の開始を指令する遊技開始指令手段と、
前記遊技開始指令手段からの遊技開始指令信号に基づいて、当選役を決定する当選役決定手段と、
入賞態様を入賞表示手段に停止表示させる入賞表示制御手段と、
前記当選役が特定の役であることに基づいて、前記入賞表示制御手段により前記入賞表示手段に特定の入賞態様が停止表示された場合に、遊技者に有利な有利状態を発生させる有利状態発生手段と、
前記入賞表示制御手段が前記特定の入賞態様を停止表示させることが可能な確率が第１の確率である第１確率状態を継続させる単位遊技の回数を決定するための決定情報として、決定される単位遊技の回数の期待値が第１の値である第１決定情報と、決定される単位遊技の回数の期待値が第１の値よりも小さい第２の値である第２決定情報とを格納する情報格納手段と、
前記当選役決定手段が複数の所定の役のうちのいずれかを当選役と決定したことを契機として、前記第１確率状態を継続させる単位遊技の回数の決定のために前記第２決定情報を続けて用いる回数を前記所定の役の種別に基づいて決定する連続回数決定手段と、
前記連続回数決定手段の決定結果に応じて前記第１決定情報又は前記第２決定情報を選択し、選択した決定情報に基づいて、前記有利状態が終了した後において前記第１確率状態を継続させる単位遊技の回数を決定する継続回数決定手段と、
前記第１確率状態が継続する単位遊技の回数を計数する回数計数手段と、
前記継続回数決定手段の決定結果と、前記回数計数手段により計数された回数に基づいて、前記第１確率状態から、前記入賞表示制御手段が前記特定の入賞態様を停止表示させることが可能な確率が前記第１の確率よりも高い第２の確率である第２確率状態に確率状態を移行させる状態移行手段と、
を備えたことを特徴とする遊技機。
【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
肌より採取された角層細胞の、紫外線の照射により発せられる蛍光の強度を指標として、該肌を鑑別することを特徴とする、肌の鑑別法。
【請求項２】
前記蛍光の波長範囲が３５０〜５５０ｎｍであることを特徴とする、請求項１に記載の肌の鑑別法。
【請求項３】
前記紫外線の波長範囲が２８０〜４２０ｎｍであることを特徴とする、請求項１又は２に記載の肌の鑑別法。
【請求項４】
前記蛍光の強度を指標として、皮膚柔軟性を評価することを特徴とする、請求項１〜３の何れか一項に記載の肌の鑑別法。
【請求項５】
前記蛍光の強度が大きいほど、皮膚柔軟性が低いと評価することを特徴とする、請求項４に記載の肌の鑑別法。
【請求項６】
前記蛍光の強度を指標として、βシート型ケラチンの存在割合を推定し、βシート型ケラチンの存在割合が大きいほど、皮膚柔軟性が低いと評価することを特徴とする、請求項４又は５に記載の肌の鑑別法。
【請求項７】
次に示す工程に従って行われることを特徴とする、請求項４〜６の何れか一項に記載の肌の鑑別法。
（工程１）  粘着剤を塗工した支持体を用いて皮膚より採取された角層細胞を、前記粘着剤を溶剤により軟化させることにより、スライドグラス上に転写させる。
（工程２）  工程１で転写させた角層細胞に紫外線を照射し、紫外線を照射した前記角層細胞の拡大画像を得る。
（工程３）  工程２で得られた角層細胞の拡大画像より、角層細胞の蛍光強度を計測する。
（工程４）  工程３で得られた角層細胞の蛍光強度を指標として、皮膚柔軟性を評価する。
【請求項８】
請求項１〜７の何れか一項に記載の肌の鑑別法により得られた肌の鑑別結果に基づいて
、化粧料を選択することを特徴とする、化粧料の選択方法。
【請求項９】
請求項８に記載の化粧料の選択方法により選択された化粧料と、紫外線を照射した角層細胞の拡大画像を提示することを特徴とする、化粧料の提示方法。
【請求項１０】
角層細胞の拡大画像は、対照とすべき標準画像とともに提示されることを特徴とする、請求項９に記載の化粧料の提示方法。
【手続補正２】
【補正対象書類名】明細書
【補正対象項目名】０００６
【補正方法】変更
【補正の内容】
【０００６】
この様な状況に鑑みて、本発明者は、肌の鑑別を行い、それに基づき化粧料の選択法、及びそれらを利用した化粧料の提示方法をすることを可能にならしめる技術を求めて、鋭意研究努力を重ねた結果、角層細胞に紫外線（励起光）を照射し、該紫外線による蛍光（発光）強度が皮膚柔軟性、及び角層細胞におけるβシート型のケラチンの存在割合と相関し、肌を鑑別できることを見出し、発明を完成させるに至った。即ち、本発明は以下に示すとおりである。
（１）肌より採取された角層細胞の、紫外線の照射により発せられる蛍光の強度を指標として、該肌を鑑別することを特徴とする、肌の鑑別法。
（２）前記蛍光の波長範囲が３５０〜５５０ｎｍであることを特徴とする、（１）に記載の肌の鑑別法。
（３）前記紫外線の波長範囲が２８０〜４２０ｎｍであることを特徴とする、（１）又は（２）に記載の肌の鑑別法。
（４）前記蛍光の強度を指標として、皮膚柔軟性を評価することを特徴とする、（１）〜（３）の何れか一項に記載の肌の鑑別法。
（５）前記蛍光の強度が大きいほど、皮膚柔軟性が低いと評価することを特徴とする、（４）に記載の肌の鑑別法。
（６）前記蛍光の強度を指標として、βシート型ケラチンの存在割合を推定し、βシート型ケラチンの存在割合が大きいほど、皮膚柔軟性が低いと評価することを特徴とする、（４）又は（５）に記載の肌の鑑別法。
（７）次に示す工程に従って行われることを特徴とする、（４）〜（６）の何れか一項に記載の肌の鑑別法。
（工程１）  粘着剤を塗工した支持体を用いて皮膚より採取された角層細胞を、前記粘着剤を溶剤により軟化させることにより、スライドグラス上に転写させる。
（工程２）  工程１で転写させた角層細胞に紫外線を照射し、紫外線を照射した前記角層細胞の拡大画像を得る。
（工程３）  工程２で得られた角層細胞の拡大画像より、角層細胞の蛍光強度を計測する。
（工程４）  工程３で得られた角層細胞の蛍光強度を指標として、皮膚柔軟性を評価する。
（８）請求項１〜７の何れか一項に記載の肌の鑑別法により得られた肌の鑑別結果に基づいて、化粧料を選択することを特徴とする、化粧料の選択方法。
（９）請求項８に記載の化粧料の選択方法により選択された化粧料と、紫外線を照射した角層細胞の拡大画像を提示することを特徴とする、化粧料の提示方法。
（１０）角層細胞の拡大画像は、対照とすべき標準画像とともに提示されることを特徴とする、（９）に記載の化粧料の提示方法。
【手続補正書】
【提出日】平成19年5月11日(2007.5.11)
【手続補正１】
【補正対象書類名】特許請求の範囲
【補正対象項目名】請求項２
【補正方法】変更
【補正の内容】
【請求項２】
前記遊技進展手段は、
前記第１の乱数値に基づいて、大当たりの発生を遊技者に期待させる複数種類のリーチ演出のうちのいずれか、もしくは、はずれ演出を抽選する第１の抽選手段と、
前記第２の乱数値に基づいて、大当たり、もしくは、はずれを抽選する第２の抽選手段と、
前記第１の抽選手段の抽選結果に基づいて遊技を進展させる第１の進展手段と、
該第１の進展手段による遊技の進展が予め指定された指定段階に達した際に、該第１の進展手段に代わり、前記第２の抽選手段の抽選結果に基づいて遊技を進展させる第２の進展手段と、
を備えることを特徴とする請求項１記載の遊技機。
【手続補正２】
【補正対象書類名】特許請求の範囲
【補正対象項目名】請求項４
【補正方法】変更
【補正の内容】
【請求項４】
前記第１の抽選手段の抽選結果がはずれ演出である場合に、前記第２の進展手段の作動を禁止する作動禁止手段を備えることを特徴とする請求項２又は請求項３記載の遊技機。
【手続補正３】
【補正対象書類名】明細書
【補正対象項目名】００１１
【補正方法】変更
【補正の内容】
【００１１】
ここで、遊技進展手段は、請求項２記載のように、第１の乱数値に基づいて、大当たりの発生を遊技者に期待させる複数種類のリーチ演出のうちのいずれか、もしくは、はずれ演出を抽選する第１の抽選手段と、第２の乱数値に基づいて、大当たり、もしくは、はずれを抽選する第２の抽選手段と、第１の抽選手段の抽選結果に基づいて遊技を進展させる第１の進展手段と、該第１の進展手段による遊技の進展が予め指定された指定段階に達した際に、該第１の進展手段に代わり、第２の抽選手段の抽選結果に基づいて遊技を進展させる第２の進展手段とを備えると良い。
【手続補正４】
【補正対象書類名】明細書
【補正対象項目名】００１２
【補正方法】変更
【補正の内容】
【００１２】
この遊技進展手段では、第１の抽選手段が、第１の乱数値に基づいて、複数種類のリーチ演出のうちのいずれか、もしくは、はずれ演出を抽選し、第２の抽選手段が、第２の乱数値に基づいて、大当たり、もしくは、はずれを抽選する。そして、第１の進展手段が、第１の抽選手段の抽選結果に基づいて遊技を進展させ、該第１の進展手段による遊技の進展が指定段階に達した際に、第２の進展手段が、第１の進展手段に代わり、第２の抽選手段の抽選結果に基づいて遊技を進展させる。
【手続補正５】
【補正対象書類名】明細書
【補正対象項目名】００１３
【補正方法】変更
【補正の内容】
【００１３】
つまり、この遊技進展手段を備えた遊技機では、まず、実時間から最も遠い過去に蓄積された第１の乱数値に基づいて、リーチ演出のうちのいずれか、もしくは、はずれ演出の指定段階まで遊技が進展したのち、実時間に最も近い過去に蓄積された第２の乱数値に基づいて、大当たり、もしくは、はずれへと遊技が進展する。
【手続補正６】
【補正対象書類名】明細書
【補正対象項目名】００１５
【補正方法】変更
【補正の内容】
【００１５】
ここで、第２の取出手段及び第２の抽選手段は、請求項３記載のように、第１の進展手段による遊技の進展が指定段階に達した際に作動するように設定されていると良い。
このように第２の取出手段及び第２の抽選手段が設定されていれば、リーチ演出やはずれ演出が指定段階に達する直前までに遊技球を新たに入賞させることにより、遊技の進展内容の結末を変更することが可能となるため、遊技者に実時間における遊技球の投入をより一層意義深いものに感じさせることができる。
【手続補正７】
【補正対象書類名】明細書
【補正対象項目名】００１６
【補正方法】変更
【補正の内容】
【００１６】
又、請求項２及び請求項３記載の遊技機は、請求項４記載のように、第１の抽選手段の抽選結果がはずれ演出である場合に、第２の進展手段の作動を禁止する作動禁止手段を備えると良い。
【手続補正８】
【補正対象書類名】明細書
【補正対象項目名】００１７
【補正方法】変更
【補正の内容】
【００１７】
この遊技機では、はずれ演出であるにも関わらず、遊技を不必要に進展させてしまうことを防止でき、ひいては、テンポの良い遊技を遊技者に提供することができる。
又、請求項２記載の遊技機は、請求項５記載のように、第２の抽選手段の抽選結果が大当たりである場合に、大当たりの発生を予告する予告手段を備えると良い。
【手続補正書】
【提出日】平成19年3月29日(2007.3.29)
【手続補正１】
【補正対象書類名】明細書
【補正対象項目名】０００５
【補正方法】変更
【補正の内容】
【０００５】
【特許文献１】特開２００２−１１２９３６号公報
【手続補正２】
【補正対象書類名】明細書
【補正対象項目名】００２５
【補正方法】変更
【補正の内容】
【００２５】
７はダストバッグ、８はペーパーフィルタ、９は取付け穴、１２は長手方向、１３は芯部材、１４は閉塞部材である。
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
複数種の絵柄を変動表示する絵柄表示装置と、
前記複数種の絵柄の変動開始条件が成立した場合に、前記複数種の絵柄の変動表示を開始させ、予め設定された変動態様に従って変動表示させた後にその変動表示を終了させるよう前記絵柄表示装置を表示制御する表示制御手段と
を備え、
前記複数種の絵柄が前記絵柄表示装置上で第１特定絵柄の組合せとなって変動表示を終了した場合に遊技者に有利な第１特別遊技状態が発生し、前記複数種の絵柄が前記絵柄表示装置上で第２特定絵柄の組合せとなって変動表示を終了した場合に前記第１特別遊技状態よりも遊技者の有利度合いが大きい第２特別遊技状態が発生する遊技機において、
前記複数種の絵柄を、特徴的な形状及び色彩とより１の識別情報としてそれぞれ認識し得るよう構成し、
前記絵柄表示装置上にいずれかの特定絵柄の組合せを停止させる変動態様を設定する第１変動態様設定手段と、
該第１変動態様設定手段が設定した変動態様において停止した特定絵柄の組合せを同一変動表示回に再変動表示させた後に、該特定絵柄の組合せと同一又は異なる特定絵柄の組合せを前記絵柄表示装置上に停止させる変動態様を設定する第２変動態様設定手段と、
前記再変動表示の場合に、前記複数種の絵柄の色彩を変化させることにより該複数種の絵柄の色彩の特徴を消失させる色彩変化手段と
を備えたことを特徴とする遊技機。
【請求項２】
複数種の絵柄を変動表示する絵柄表示装置と、
前記複数種の絵柄の変動開始条件が成立した場合に、前記複数種の絵柄の変動表示を開始させ、予め設定された変動態様に従って変動表示させた後にその変動表示を終了させるよう前記絵柄表示装置を表示制御する表示制御手段と
を備え、
前記複数種の絵柄が前記絵柄表示装置上で第１特定絵柄の組合せとなって変動表示を終了した場合に遊技者に有利な第１特別遊技状態が発生し、前記複数種の絵柄が前記絵柄表示装置上で第２特定絵柄の組合せとなって変動表示を終了した場合に前記第１特別遊技状態よりも遊技者の有利度合いが大きい第２特別遊技状態が発生する遊技機において、
前記複数種の絵柄を、特徴的な形状及び色彩とより１の識別情報としてそれぞれ認識し得るよう構成し、
前記絵柄表示装置上にいずれかの特定絵柄の組合せを停止させる変動態様を設定する第１変動態様設定手段と、
該第１変動態様設定手段が設定した変動態様において停止した特定絵柄の組合せを同一変動表示回に再変動表示させた後に、該特定絵柄の組合せと同一又は異なる特定絵柄の組合せを前記絵柄表示装置上に停止させる変動態様を設定する第２変動態様設定手段と、
前記複数種の絵柄の色彩に対応したパレットとして、通常時の第１パレットと当該第１パレットとは異なる第２パレットとを記憶する記憶手段と、
前記再変動表示の場合に、前記パレットを前記第１パレットから前記第２パレットに切替えることにより、前記複数種の絵柄の色彩の特徴を消失させる色彩変化手段と
を備えたことを特徴とする遊技機。
【請求項３】
複数種の絵柄を変動表示する絵柄表示装置と、
前記複数種の絵柄の変動開始条件が成立した場合に、前記複数種の絵柄の変動表示を開始させ、予め設定された変動態様に従って変動表示させた後にその変動表示を終了させるよう前記絵柄表示装置を表示制御する表示制御手段と
を備え、
前記複数種の絵柄が前記絵柄表示装置上で第１特定絵柄の組合せとなって変動表示を終了した場合に遊技者に有利な第１特別遊技状態が発生し、前記複数種の絵柄が前記絵柄表示装置上で第２特定絵柄の組合せとなって変動表示を終了した場合に前記第１特別遊技状態よりも遊技者の有利度合いが大きい第２特別遊技状態が発生する遊技機において、
前記複数種の絵柄を、特徴的な形状及び色彩とより１の識別情報としてそれぞれ認識し得るよう構成し、
前記絵柄表示装置上にいずれかの特定絵柄の組合せを停止させる変動態様を設定する第１変動態様設定手段と、
該第１変動態様設定手段が設定した変動態様において停止した特定絵柄の組合せを同一変動表示回に再変動表示させた後に、該特定絵柄の組合せと同一又は異なる特定絵柄の組合せを前記絵柄表示装置上に停止させる変動態様を設定する第２変動態様設定手段と、
前記複数種の絵柄の色彩に対応したパレットとして、通常時の第１パレットと、同一色に設定された第２パレットとを記憶する記憶手段と、
通常時に前記第１パレットを設定する第１パレット設定手段と、
前記再変動表示の場合に前記第２パレットを設定する第２パレット設定手段と
を備えたことを特徴とする遊技機。
【手続補正書】
【提出日】平成19年6月7日(2007.6.7)
【手続補正１】
【補正対象書類名】特許請求の範囲
【補正対象項目名】全文
【補正方法】変更
【補正の内容】
【特許請求の範囲】
【請求項１】
画素単位でサンプリングして読み取った画像を元画像として取得する手段を有する計測用内視鏡装置において、
前記元画像の少なくとも一部を１次以上の補間によって拡大し、第１拡大画像を生成する拡大画像生成手段と、
前記第１拡大画像上で指定された計測点に対応する前記元画像上の位置を、元画像の前記画素単位より細かい単位で算出する位置算出手段と、
この位置算出手段によって算出された前記位置に基づいて計測を行う計測手段と、
を有することを特徴とする計測用内視鏡装置。
【請求項２】
前記第１拡大画像を２値化する２値化手段を備えたことを特徴とする請求項１記載の計測用内視鏡装置。
【請求項３】
前記拡大画像生成手段は、前記第１拡大画像を更に０次補間によって拡大し、第２拡大画像を生成することを特徴とする請求項１記載の計測用内視鏡装置。
【請求項４】
前記拡大画像の輝度値又は色差値を表示する輝度値／色差値表示手段を備えたことを特徴とする請求項１、又は３記載の計測用内視鏡装置。
【請求項５】
前記輝度値又は色差値表示手段の表示をグラフによって表示する手段を備えたことを特徴とする請求項４記載の計測用内視鏡装置。
【請求項６】
画素単位でサンプリングして読み取った画像を元画像として取得する手順と、
前記元画像の少なくとも一部を１次以上の補間によって拡大し、第１拡大画像を生成する手順と、
前記第１拡大画像上で指定された計測点に対応する前記元画像上の位置を、元画像の前記画素単位より細かい単位で算出する手順と、
算出された前記元画像上の位置に基づいて計測を行う手順と、
を備えたことを特徴とする計測用内視鏡装置用プログラム。
【請求項７】
前記第１拡大画像を２値化する手順を更に備えたことを特徴とする請求項６に記載の計測用内視鏡装置用プログラム。
【請求項８】
前記第１拡大画像を更に０次補間によって拡大し、第２拡大画像を生成する手順を更に備えたことを特徴とする請求項６に記載の計測用内視鏡装置用プログラム。
【手続補正２】
【補正対象書類名】明細書
【補正対象項目名】発明の名称
【補正方法】変更
【補正の内容】
【発明の名称】計測用内視鏡装置及び計測用内視鏡装置用プログラム
【手続補正３】
【補正対象書類名】明細書
【補正対象項目名】０００１
【補正方法】変更
【補正の内容】
【０００１】
本発明は計測対象を撮像して元画像として読み取り、読み取った元画像上の計測点の位置に基づいて計測を行う計測用内視鏡装置及び計測用内視鏡装置用プログラムに関する。
【手続補正４】
【補正対象書類名】明細書
【補正対象項目名】０００８
【補正方法】変更
【補正の内容】
【０００８】
上記課題は本発明によれば、画素単位でサンプリングして読み取った画像を元画像として取得する手段を有する計測用内視鏡装置において、前記元画像の少なくとも一部を１次以上の補間によって拡大し、第１拡大画像を生成する拡大画像生成手段と、前記第１拡大画像上で指定された計測点に対応する前記元画像上の位置を、元画像の前記画素単位より細かい単位で算出する位置算出手段と、この位置算出手段によって算出された前記位置に基づいて計測を行う計測手段とを有する計測用内視鏡装置を提供することによって達成できる。
【手続補正５】
【補正対象書類名】明細書
【補正対象項目名】００１０
【補正方法】変更
【補正の内容】
【００１０】
また、本発明の計測用内視鏡装置は、例えば前記第１拡大画像を２値化する２値化手段を備える。さらに、前記拡大画像生成手段は、前記第１拡大画像を更に０次補間によって拡大し、第２拡大画像を生成する。
【手続補正６】
【補正対象書類名】明細書
【補正対象項目名】００１８
【補正方法】変更
【補正の内容】
【００１８】
次に、図２を参照しながら計測用内視鏡装置１０のシステム構成を詳細に説明する。同図に示すように、前記内視鏡挿入部１１は、内視鏡ユニット２４に接続される。この内視鏡ユニット２４は、例えば図１に示したコントロールユニット１２内に搭載されている。また、この内視鏡ユニット２４は、撮影時に必要な照明光を得るための光源装置と、前記内視鏡挿入部１１を電気的に自在に湾曲させるための電動湾曲装置とを含んで構成されている。また、内視鏡挿入部１１先端の個体撮像素子４３（図５参照）からの撮像信号は、カメラコントロールユニット（以下、CCUと記載）２５に入力される。 該CCU２５は、供給された撮像信号をNTSC信号等の映像信号に変換し、前記コントロールユニット１２内の主要処理回路群へと供給する。
【手続補正７】
【補正対象書類名】図面
【補正対象項目名】図７
【補正方法】変更
【補正の内容】
【図７】
2005348870.tif 000001
【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
操作側計算機と、
前記操作側計算機からネットワークを介して遠隔操作される被操作側計算機と
を備えるコンピュータシステムにおいて、
前記操作側計算機が、該操作側計算機及び前記被操作側計算機以外の装置である画像送信装置から画像を受信する場合、
前記操作側計算機は、
前記画像送信装置から、前記被操作側計算機を経由せずに画像を受信し、
該画像を再生することを特徴とするコンピュータシステム。
【請求項２】
請求項1記載のコンピュータシステムにおいて、
前記被操作側計算機は、前記操作側計算機から前記画像の送信要求を受信した後、前記画像送信装置に前記送信要求を送信することを特徴とするコンピュータシステム。
【請求項３】
請求項1記載のコンピュータシステムにおいて、
前記被操作側計算機は、前記操作側計算機から前記画像の送信要求を受信した後、前記操作側計算機に前記画像のネットワーク上の位置情報を送信し、
前記操作側計算機は、前記位置情報を前記画像送信装置に送信し、該画像送信装置から前記画像を受信することを特徴とするコンピュータシステム。
【請求項４】
請求項2又は3記載のコンピュータシステムにおいて、
前記操作側計算機は、
前記被操作側計算機から前記画像に関する制御情報を受信し、
前記画像を前記制御情報に基づいて再生を行うことを特徴とするコンピュータシステム。
【請求項５】
請求項4記載のコンピュータシステムにおいて、
前記制御情報は、前記画像の画面上の表示位置、及び大きさに関する情報を含むことを特徴とするコンピュータシステム。
【請求項６】
請求項5記載のコンピュータシステムにおいて、
前記操作側計算機は、前記画像を再生する前に、前記制御情報に基づいて前記画像を再生するためのウインドウを生成することを特徴とするコンピュータシステム。
【請求項７】
請求項6記載のコンピュータシステムにおいて、
前記操作側計算機は、前記操作側計算機の前記被操作側計算機に対する操作結果の画面と、前記ウインドウに前記画像を再生した画面の重畳表示をすることを特徴とするコンピュータシステム。
【請求項８】
請求項7記載のコンピュータシステムにおいて、
前記被操作側計算機は画像を有し、
前記被操作側計算機は、
前記操作側計算機の画像の再生に関する情報を受信し、
該再生に関する情報を基に、前記操作側計算機が、前記被操作側計算機及び前記画像送信装置のうち、いずれか1つから前記画像を受信することを判定することを特徴とするコンピュータシステム。
【請求項９】
請求項8記載のコンピュータシステムにおいて、
前記再生に関する情報は、該再生の対象である画像の名称を含むことを特徴とするコンピュータシステム。
【請求項１０】
請求項9記載のコンピュータシステムにおいて、
前記被操作側計算機と前記画像送信装置は、互いに通信し、前記画像を送信する条件を定めることを特徴とするコンピュータシステム。
【請求項１１】
請求項10記載のコンピュータシステムにおいて、
前記画像は動画であり、
前記再生に関する情報は、さらに、RSTPのプロトコル情報を含むことを特徴とするコンピュータシステム。
【請求項１２】
請求項11記載のコンピュータシステムにおいて、
前記画像を送信する条件は、前記操作側計算機の計算機資源、又はネットワークの通信状況に基づいて定められることを特徴とするコンピュータシステム。
【請求項１３】
請求項12記載のコンピュータシステムにおいて、
前記画像の位置情報は、URI又はURLであることを特徴とするコンピュータシステム。
【請求項１４】
請求項13記載のコンピュータシステムにおいて、
前記操作側計算機が受信した画像は圧縮されており、
前記操作側計算機は、該画像を復号してから再生することを特徴とするコンピュータシステム。
【請求項１５】
請求項14記載のコンピュータシステムにおいて、
前記ウインドウは、前記画像を特殊再生するための操作用のボタンを有することを特徴とするコンピュータシステム。
【請求項１６】
請求項15記載のコンピュータシステムにおいて、
前記画像送信装置は、前記操作側計算機から特殊再生の命令を受けた場合、前記画像を切出して送信することを特徴とするコンピュータシステム。
【請求項１７】
請求項16記載のコンピュータシステムにおいて、
前記操作側計算機の特殊再生の命令が逆再生で、前記操作側計算機に前記逆再生の対象である画像が残っている場合、前記画像送信装置は、前記逆再生の対象である画像を送らずに、逆再生の命令を前記操作側計算機へ送信することを特徴とするコンピュータシステム。
【請求項１８】
請求項17記載のコンピュータシステムにおいて、
前記操作側計算機は、
前記画像送信装置から画像を受信する前に、利用者の個人情報を前記画像送信装置へ送信し、前記利用者の認証を行うことを特徴とするコンピュータシステム。
【手続補正２】
【補正対象書類名】明細書
【補正対象項目名】発明の名称
【補正方法】変更
【補正の内容】
【発明の名称】コンピュータシステム
【手続補正３】
【補正対象書類名】明細書
【補正対象項目名】０１１７
【補正方法】変更
【補正の内容】
【０１１７】
図7は、実施例1における動画像処理の送受信シーケンスを示す図である。実施例1で動画ファイルから再生するためホスト計算機2が動画データを送信する場合に、ホスト計算機側制御部25から送出されたデータパケット60、61、…、6nがユーザ計算機1の通信制御部15に届き、そのデータ内容601、611、…、6n1が動画受信再生プログラム11の処理を経て画像データ612、…、6n2となって画像表示処理部16に到達する。
【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
第１のコンテンツ及び第１のコンテンツが鑑賞されているときに配信されている第２のコンテンツについてのユーザの嗜好に関する評価値を算出する評価値算出手段と、
第２のコンテンツに関する情報を示すコンテンツ情報からキーワードを抽出するキーワード抽出手段と、
第１のコンテンツの評価値と第２のコンテンツの評価値とに基づいて、前記キーワード抽出手段にて抽出されたキーワードについての嗜好度を算出するキーワード嗜好度算出手段とを備えていることを特徴とする情報処理装置。
【請求項２】
前記評価値算出手段は、前記ユーザの嗜好に関する評価値として第１のコンテンツ及び第２のコンテンツのそれぞれについてのユーザの嗜好度を算出するものであり、
前記キーワード嗜好度算出手段は、前記評価値算出手段にて算出された第１のコンテンツの嗜好度と第２のコンテンツの嗜好度とに基づいて、第２のコンテンツに関するキーワードについての嗜好度を算出することを特徴とする請求項１に記載の情報処理装置。
【請求項３】
キーワードについてのユーザの嗜好度が設定されたユーザ嗜好情報を記憶する嗜好情報記憶部を備え、
前記キーワード嗜好度算出手段は、第１のコンテンツの嗜好度よりも高い嗜好度を有する第２のコンテンツを抽出し、この第２のコンテンツに関するキーワードのうち、少なくとも前記ユーザ嗜好情報に含まれるキーワードと共通するキーワードについて、前記ユーザ嗜好情報に含まれるキーワードの嗜好度を減じるための値を設定することを特徴とする請求項２に記載の情報処理装置。
【請求項４】
前記評価値算出手段は、配信されるコンテンツを複数のグループのうちの何れかにグループ分けするとともに、前記ユーザの嗜好に関する評価値として第１のコンテンツが属するグループ及び第２のコンテンツが属するグループそれぞれについてのユーザの嗜好度を算出するものであり、
前記キーワード嗜好度算出手段は、前記評価値算出手段にて算出された第１のコンテンツが属するグループの嗜好度と第２のコンテンツが属するグループの嗜好度とに基づいて、第２のコンテンツに関するキーワードについての嗜好度を算出することを特徴とする請求項１に記載の情報処理装置。
【請求項５】
前記グループは、ジャンルまたはジャンルを細分化した分類であることを特徴とする請求項４に記載の情報処理装置。
【請求項６】
キーワードについてのユーザの嗜好度が設定されたユーザ嗜好情報を記憶する嗜好情報記憶部を備え、
前記キーワード嗜好度算出手段は、第１のコンテンツが属するグループの嗜好度よりも高い嗜好度を有する第２のコンテンツが属するグループを抽出し、抽出されたグループに属する第２のコンテンツに関するキーワードのうち、少なくとも前記ユーザ嗜好情報に含まれるキーワードと共通するキーワードについて、前記ユーザ嗜好情報に含まれるキーワードの嗜好度を減じるための値を設定することを特徴とする請求項４に記載の情報処理装置。
【請求項７】
前記キーワード嗜好度算出手段は、さらに第１のコンテンツが鑑賞されている時間帯に応じた算出式に従って、前記ユーザ嗜好情報に含まれる第２のコンテンツに関するキーワードの嗜好度を減じるための値を設定することを特徴とする請求項３または６に記載の情報処理装置。
【請求項８】
前記キーワード嗜好度算出手段は、第２のコンテンツの配信時間内に占める第１のコンテンツの鑑賞時間の割合が所定の閾値以上である場合のみ、前記ユーザ嗜好情報に含まれる前記第２のコンテンツに関するキーワードの嗜好度を減じるための値を設定することを特徴とする請求項３または６に記載の情報処理装置。
【請求項９】
前記キーワード嗜好度算出手段は、第２のコンテンツの配信時間内に占める第１のコンテンツの鑑賞時間の割合が大きくなるほど、前記ユーザ嗜好情報に含まれる前記第２のコンテンツに関するキーワードの嗜好度を減じるための値を大きく設定することを特徴とする請求項３または６に記載の情報処理装置。
【請求項１０】
前記キーワード嗜好度算出手段により算出された嗜好度に基づいて、前記嗜好情報記憶部にて記憶されている前記ユーザ嗜好情報を更新する嗜好情報更新手段を備えていることを特徴とする請求項３、６、７、８または９に記載の情報処理装置。
【請求項１１】
情報を出力する出力処理手段を備え、
前記出力処理手段は、前記キーワード抽出手段にて抽出されたキーワード、及び前記キーワード嗜好度算出手段にて算出された当該キーワードについての嗜好度を出力することを特徴とする請求項３、６、７、８または９に記載の情報処理装置。
【請求項１２】
情報を出力する出力処理手段を備え、
前記出力処理手段は、前記嗜好情報記憶部にて記憶されているユーザ嗜好情報を出力することを特徴とする請求項１０に記載の情報処理装置。
【請求項１３】
請求項１０または１２の何れか１項に記載の情報処理装置を備えるとともに、
前記嗜好情報記憶部にて記憶されている前記ユーザ嗜好情報に基づいて、コンテンツに対するユーザの嗜好度を判定し、前記ユーザに対する推薦コンテンツを決定する推薦コンテンツ決定手段を備えていることを特徴とするコンテンツ推薦装置。
【請求項１４】
前記推薦コンテンツ決定手段にて推薦されたコンテンツを記録するコンテンツ記録手段と、
前記コンテンツ記録手段にて記録されたコンテンツを出力するコンテンツ出力手段とを備え、
第１のコンテンツは、前記コンテンツ出力手段にて出力されたコンテンツであることを特徴とする請求項１３に記載のコンテンツ推薦装置。
【請求項１５】
請求項１から１２の何れか１項に記載の情報処理装置を備えるとともに、
ユーザによる視聴履歴情報を入力する視聴履歴情報入力手段を備え、
前記キーワード抽出手段は、前記視聴履歴情報入力手段により入力された前記視聴履歴情報に含まれるコンテンツを第１のコンテンツとみなすことを特徴とする情報処理サーバ。
【請求項１６】
第１のコンテンツ及び第１のコンテンツが鑑賞されているときに配信されている第２のコンテンツについてのユーザの嗜好に関する評価値を算出する評価値算出ステップと、
第２のコンテンツに関する情報を示すコンテンツ情報からキーワードを抽出するキーワード抽出ステップと、
第１のコンテンツの評価値と第２のコンテンツの評価値とに基づいて、前記キーワード抽出ステップにて抽出されたキーワードについての嗜好度を算出するキーワード嗜好度算出ステップとを備えていることを特徴とする情報処理方法。
【請求項１７】
請求項１から１２の何れか１項に記載の情報処理装置を動作させるためのプログラムであって、コンピュータを上記の各手段として機能させるための情報処理プログラム。
【請求項１８】
請求項１７に記載の情報処理プログラムを記録したコンピュータ読み取り可能な記録媒体。
【手続補正書】
【提出日】平成19年3月29日(2007.3.29)
【手続補正１】
【補正対象書類名】明細書
【補正対象項目名】００１９
【補正方法】変更
【補正の内容】
【００１９】
界面活性剤としてのポリオキシエチレンラウリルエーテルＣ12Ｈ25Ｏ（Ｃ2Ｈ4Ｏ）nＨ
（但しｎ＝１３．３）の添加量を０．１５重量部、０．７重量部、１．０重量部とした以外は、上記実施例１Ａの電池と同じ構成とした電池を作成し、実施例１Ｂ（０．１５重量部）、実施例１Ｃ（０．７重量部）、実施例１Ｄ（１．０重量部）とした。
【手続補正２】
【補正対象書類名】明細書
【補正対象項目名】００３５
【補正方法】変更
【補正の内容】
【００３５】
一方、比較例２、比較例３、および比較例４の電池は、電池組立て前の熱処理時に二酸化マンガンの酸素欠損が生じ、電池の放電持続時間が著しく低下した。また、比較例１、比較例５、および比較例６の電池は、前述のように、極板が安定して成形できず、連続放電試験を行うにいたらなかった。
【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
光源と、
被照射体に照明光を照射する照明面を有する導光体と、
前記光源からの光が入る入光面と前記導光体に光を伝える伝光部を有する入光体と、
前記導光板の光照射部と反対側に設けられ、特定角度範囲で入射した光を散乱するとともにそれ以外の角度で入射された光を透過する指向性散乱層と、を備え、
前記特定角度範囲の中心角が前記導光板の照明面に垂直な基準線に対して前記光源が配置されている側に傾斜していることを特徴とする照明装置。
【請求項２】
第二の特定角度範囲で入射した光を散乱するとともにそれ以外の角度で入射された光を透過する第二の指向性散乱層が前記導光板の光照明面に設けられ、前記第二の特定角度範囲の中心角が前記導光板の照明面に垂直な基準線に対して前記光源が配置されている側の逆側に傾斜していることを特徴とする請求項２に記載の照明装置。
【請求項３】
前記入光体は、前記入光体の厚みが前記入光面側から前記伝光部側に向かって順次薄く構成されたことを特徴とする請求項１または２に記載の照明装置。
【請求項４】
前記入光体は前記入光面側から順次階段状に薄く構成されていることを特徴とする請求項３に記載の照明装置。
【請求項５】
前記入光体に形成されている階段状の段部は略垂直に形成されていることを特徴とする請求項４に記載の照明装置。
【請求項６】
前記導光体は、前記入光体の伝光部からの光を内部に入光する入射面と、前記入射面とは反対側の端面を有しており、前記端面は前記入射面と平行な平面を基準として所定の角度だけ傾斜していることを特徴とする請求項１〜５のいずれか一項に記載の照明装置。
【請求項７】
請求項１〜６のいずれか一項に記載の照明装置と、前記照明装置の光照射面側に設けられた非自発光型の表示素子とを備えることを特徴とする表示装置。
【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
光源と、
前記光源の光を用いて照明面から光を出射する、フィルム基板で形成された導光板と、
前記光源からの光が入光する入光部と前記導光板に光を出射する光出射部を有する入光体と、
前記導光板の照明面とは反対側に設けられ、特定角度範囲で入射した光を散乱するとともにそれ以外の角度で入射された光を透過する指向性散乱層と、を備え、
前記特定角度範囲の中心角は前記導光板の照明面に垂直な基準線に対して前記光源が配置されている側に傾斜しており、
前記入光体の光出射部と前記導光板を固定するために、前記入光体の光出射部と前記導光板を挟むように一対のフィルムが設けられたことを特徴とする照明装置。
【請求項２】
前記一対のフィルムの一方が、前記指向性散乱層としての機能を有するレンズシートであることを特徴とする請求項１に記載の照明装置。
【請求項３】
前記一対のフィルムの他方が、第二の特定角度範囲で入射した光を散乱するとともにそれ以外の角度で入射された光を透過する第二のレンズシートであり、前記第二の特定角度範囲の中心角は前記導光板の照明面に垂直な基準線に対して前記光源が配置されている側とは逆側に傾斜していることを特徴とする請求項２に記載の照明装置。
【請求項４】
前記導光板の照明面側には、第二の特定角度範囲で入射した光を散乱するとともにそれ以外の角度で入射された光を透過する第二の指向性散乱層を備えるとともに、前記第二の特定角度範囲の中心角は前記導光板の照明面に垂直な基準線に対して前記光源が配置されている側とは逆側に傾斜していることを特徴とする請求項１に記載の照明装置。
【請求項５】
前記入光体は、前記入光体の厚みが前記入光部側から前記光出射部側に向かって順次薄く構成されたことを特徴とする請求項１〜４のいずれか一項に記載の照明装置。
【請求項６】
請求項１〜５のいずれか一項に記載の照明装置と、前記照明装置の光照射面側に設けられた非自発光型の表示素子とを備えることを特徴とする表示装置。
【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
プリピットがあらかじめ設けられた光ディスクに対して、プリピットに同期して記録データを追記する光ディスク装置であって、プリピットを検出し検出信号を出力する検出手段と、記録データに同期して動作するタイマー手段と、プリピットの検出信号とタイマー値を用いて記録データの位置ずれを計測する記録ずれ計測手段とを備え、該記録ずれ計測手
段は、記録終了後の未記録領域で動作することを特徴とする光ディスク装置。
【請求項２】
前記記録ずれ計測手段での計測値に応じて、次回の記録制御方法を変更する記録制御手段をさらに備えた請求項１記載の光ディスク装置。
【請求項３】
前記記録制御手段は、前記記録ずれ計測手段での計測値に応じて、次回の記録の開始位置を制御することを特徴とする請求項２記載の光ディスク装置。
【請求項４】
前記記録制御手段は、前記記録ずれ計測手段での計測値に応じて、次回の記録クロックの周波数を制御することを特徴とする請求項２記載の光ディスク装置。
【請求項５】
前記記録制御手段は、前記記録ずれ計測手段での計測値に応じて、記録エラーを通知することを特徴とする請求項２記載の光ディスク装置。
【手続補正２】
【補正対象書類名】明細書
【補正対象項目名】発明の名称
【補正方法】変更
【補正の内容】
【発明の名称】光ディスク装置
【手続補正３】
【補正対象書類名】明細書
【補正対象項目名】００１６
【補正方法】変更
【補正の内容】
【００１６】
本発明の光ディスク装置は、プリピットがあらかじめ設けられた光ディスクに対して、プリピットに同期して記録データを追記する光ディスク装置であって、プリピットを検出し検出信号を出力する検出手段と、記録データに同期して動作するタイマー手段と、プリピットの検出信号とタイマー値を用いて記録データの位置ずれを計測する記録ずれ計測手段とを備え、該記録ずれ計測手段は、記録終了後の未記録領域で動作することを特徴とする。
また本発明の光ディスク装置は、前記記録ずれ計測手段での計測値に応じて、次回の記録制御方法を変更する記録制御手段をさらに備えている。ここで、前記記録制御手段は、前記記録ずれ計測手段での計測値に応じて、次回の記録の開始位置を制御する、または次回の記録クロックの周波数を制御する、または記録エラーを通知することを行うことが望ましい。
【手続補正４】
【補正対象書類名】明細書
【補正対象項目名】００１７
【補正方法】変更
【補正の内容】
【００１７】
本発明の光ディスク装置は、記録終了後の未記録領域を使用し、記録ずれ量を計測することにより、記録中のランドプリピット信号の検出状態が悪くても、記録終了時点の記録ずれ量を安定に計測することができるという利点がある。
【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
燃料電池本体と、
前記燃料電池本体の起動後、継続的に熱量が供給される第１部分と、
前記燃料電池本体の起動後、継続的に熱量が供給される第２部分と、
水素系排出弁と、
を備え、
前記第１部分と第２部分との間に前記水素系排出弁を配置した燃料電池システム。
【請求項２】
前記第１部分は、前記燃料電池本体から排出されるガスから熱量を供給される気液分離器である請求項１に記載の燃料電池システム。
【請求項３】
前記第２部分は、前記燃料電池本体から排出されるガスから熱量を供給される水素処理器である請求項１に記載の燃料電池システム。
【請求項４】
前記第１部分は、前記燃料電池本体を構成するスタックに設けられたエンドプレートである請求項１に記載の燃料電池システム。
【請求項５】
前記第１部分は、前記水素系排出弁を収容する空間が内部に形成されたカバー部を備え、
前記カバー部の空間に前記水素系排出弁が配置されその空間が前記第２部分によって閉じられた状態で、前記第１部分と第２部分とが直接固定されている請求項１に記載の燃料電池システム。
【請求項６】
燃料電池本体と、
前記燃料電池本体の起動後、継続的に熱量が供給される第１部分と、
前記燃料電池本体の起動後、継続的に熱量が供給される第２部分と、
水素系排出弁と、
を備え、
前記第１部分と第２部分とで囲われた空間に前記水素系排出弁を配置した燃料電池システム。
【手続補正２】
【補正対象書類名】明細書
【補正対象項目名】０００５
【補正方法】変更
【補正の内容】
【０００５】
本発明は、上記課題を解決するためになされたものであり、燃料電池システムであって、燃料電池本体と、前記燃料電池本体の起動後、継続的に熱量が供給される第１部分と、前記燃料電池本体の起動後、継続的に熱量が供給される第２部分と、水素系排出弁と、を備え、前記第１部分と第２部分との間に前記水素系排出弁を配置する構成とした。